【手続補正書】
【提出日】令和3年6月14日(2021.6.14)
【手続補正１】
【補正対象書類名】特許請求の範囲
【補正対象項目名】全文
【補正方法】変更
【補正の内容】
【特許請求の範囲】
【請求項１】
駆動信号が供給されるセンサアレイの第１検出電極の静電容量に対応する第１検出信号の、前記駆動信号と同相の局所搬送波と前記同相の局所搬送波と異相の局所搬送波とに基づく直交分解によって、前記同相の局所搬送波と前記第１検出信号とに基づいて生成される第１同相ミキサ出力と前記異相の局所搬送波と前記第１検出信号とに基づいて生成される第１異相ミキサ出力とを含む複数の第１ミキサ出力を生成するように構成された第１ミキサ回路部と、
前記第１異相ミキサ出力を変調して第１変調信号を生成するように構成されたＣＤＭエンコーダと、
前記第１同相ミキサ出力に基づいて物体の近接検出を行い、前記第１変調信号に基づいてノイズ検出を行うように構成された演算装置と、を備える
半導体装置。
【請求項２】
前記ＣＤＭエンコーダが、更に、前記複数の第１ミキサ出力に対して符号分割多重化を行ってＣＤＭ信号を生成するように構成され、
当該半導体装置が、更に、
前記ＣＤＭ信号に対してアナログ−デジタル変換を行ってデジタルデータストリームを生成するように構成されたＡＤコンバータと、
前記デジタルデータストリームをデコードして複数のデジタル出力信号を生成するように構成されたＣＤＭデコーダと、
を備え、
前記演算装置が、前記複数のデジタル出力信号に基づいて、前記近接検出と前記ノイズ検出とを行うように構成された
請求項１に記載の半導体装置。
【請求項３】
前記演算装置は、前記複数のデジタル出力信号のうちの前記第１同相ミキサ出力に対応する第１デジタル出力信号に基づいて前記近接検出を行い、前記複数のデジタル出力信号のうちの前記第１異相ミキサ出力に対応する第２デジタル出力信号に基づいて前記ノイズ検出を行うように構成された
請求項２に記載の半導体装置。
【請求項４】
更に、前記センサアレイの第２検出電極の静電容量に対応する第２検出信号の、前記同相の局所搬送波と前記異相の局所搬送波とに基づく直交分解によって複数の第２ミキサ出力を生成するように構成された第２ミキサ回路部を備え、
前記複数の第２ミキサ出力は、
前記同相の局所搬送波と前記第２検出信号とに基づいて生成される第２同相ミキサ出力と、
前記異相の局所搬送波と前記第２検出信号とに基づいて生成される第２異相ミキサ出力
とを備え、
前記演算装置が、前記第１同相ミキサ出力及び前記第２同相ミキサ出力に基づいて前記近接検出を行い、前記第１異相ミキサ出力と前記第２異相ミキサ出力に基づいて前記ノイズ検出を行うように構成された
請求項１に記載の半導体装置。
【請求項５】
前記ＣＤＭエンコーダが、前記複数の第１ミキサ出力及び前記複数の第２ミキサ出力に対して符号分割多重化を行ってＣＤＭ信号を生成するように構成され、
当該半導体装置が、更に、
前記ＣＤＭ信号に対してアナログ−デジタル変換を行ってデジタルデータストリームを生成するように構成されたＡＤコンバータと、
前記デジタルデータストリームをデコードして複数のデジタル出力信号を生成するように構成されたＣＤＭデコーダと、
を備え、
前記演算装置が、前記複数のデジタル出力信号に基づいて、前記近接検出と前記ノイズ検出とを行うように構成された
請求項４に記載の半導体装置。
【請求項６】
前記複数のデジタル出力信号は、
前記第１同相ミキサ出力に対応する第１デジタル出力信号と、
前記第２同相ミキサ出力に対応する第２デジタル出力信号と、
前記第１異相ミキサ出力に対応する第３デジタル出力信号と、
前記第２異相ミキサ出力に対応する第４デジタル出力信号
とを備え、
前記演算装置は、前記第１デジタル出力信号と前記第２デジタル出力信号とに基づいて前記近接検出を行い、前記第３デジタル出力信号と前記第４デジタル出力信号とに基づいて前記ノイズ検出を行うように構成された
請求項５に記載の半導体装置。
【請求項７】
前記ＣＤＭエンコーダが、更に、前記第２異相ミキサ出力に対して符号分割多重化を行って第２変調信号を生成し、前記第１変調信号と前記第２変調信号とからＣＤＭ信号を生成するように構成され、
当該半導体装置が、更に、
前記第１同相ミキサ出力に対してアナログ−デジタル変換を行って第１デジタルデータストリームを生成するように構成された第１ＡＤコンバータと、
前記第２同相ミキサ出力に対してアナログ−デジタル変換を行って第２デジタルデータストリームを生成するように構成された第２ＡＤコンバータと、
前記ＣＤＭ信号に対してアナログ−デジタル変換を行って第３デジタルデータストリームを生成するように構成された第３ＡＤコンバータと、
を備え、
前記演算装置が、前記第１デジタルデータストリームと前記第２デジタルデータストリームとに基づいて前記近接検出を行い、前記第３デジタルデータストリームに基づいて前記ノイズ検出を行うように構成された
請求項４に記載の半導体装置。
【請求項８】
更に、前記第３デジタルデータストリームをデコードして複数のデジタル出力信号を生成するように構成されたＣＤＭデコーダを備えており、
前記複数のデジタル出力信号は、
前記第１異相ミキサ出力に対応する第１デジタル出力信号と、
前記第２異相ミキサ出力に対応する第２デジタル出力信号
とを含み、
前記演算装置は、前記第１デジタル出力信号に基づいて前記第１検出信号のノイズを検出し、前記第２デジタル出力信号に基づいて前記第２検出信号のノイズを検出するように構成された
請求項７に記載の半導体装置。
【請求項９】
更に、
第１符号を用いて前記第１同相ミキサ出力を変調して第２変調信号を生成するように構成された第１変調器と、
第２符号を用いて前記第１異相ミキサ出力を変調して前記第１変調信号を生成するように構成された第２変調器と、
第３符号を用いて前記第２同相ミキサ出力を変調して第３変調信号を生成するように構成された第３変調器と、
第４符号を用いて前記第２異相ミキサ出力を変調して第４変調信号を生成するように構成された第４変調器と、
前記第１変調信号と前記第４変調信号との加算により得られる第１和信号に対してアナログ−デジタル変換を行い第１デジタルデータストリームを生成するように構成された第１ＡＤコンバータと、
前記第２変調信号と前記第３変調信号との加算により得られる第２和信号に対してアナログ−デジタル変換を行い第２デジタルデータストリームを生成するように構成された第２ＡＤコンバータと、
を備え、
前記演算装置が、前記第１デジタルデータストリームと前記第２デジタルデータストリームとに基づいて前記近接検出と前記ノイズ検出を行うように構成され、
前記第１符号と前記第４符号とが互いに直交し、
前記第２符号と前記第３符号とが互いに直交する
請求項４に記載の半導体装置。
【請求項１０】
更に、
前記第１デジタルデータストリームを前記第１符号に対応する符号を用いて復調して第１デジタル出力信号を生成するように構成された第１復調器と、
前記第２デジタルデータストリームを前記第２符号に対応する符号を用いて復調して第２デジタル出力信号を生成するように構成された第２復調器と、
前記第２デジタルデータストリームを前記第３符号に対応する符号を用いて復調して第３デジタル出力信号を生成するように構成された第３復調器と、
前記第１デジタルデータストリームを前記第４符号に対応する符号を用いて復調して第４デジタル出力信号を生成するように構成された第４復調器
とを備えている
請求項９に記載の半導体装置。
【請求項１１】
前記演算装置が、前記第１デジタル出力信号と前記第３デジタル出力信号とに基づいて前記近接検出を行うように構成された
請求項１０に記載の半導体装置。
【請求項１２】
前記演算装置が、前記第２デジタル出力信号と前記第４デジタル出力信号とに基づいて前記ノイズ検出を行うように構成された
請求項１０に記載の半導体装置。
【請求項１３】
第１検出電極を含むセンサアレイと、
駆動信号が供給される前記第１検出電極の静電容量に対応する第１検出信号の、前記センサアレイに供給される駆動信号と同相の局所搬送波と前記同相の局所搬送波と異相の局所搬送波とに基づく直交分解によって、前記同相の局所搬送波と前記第１検出信号とに基づいて生成される第１同相ミキサ出力と前記異相の局所搬送波と前記第１検出信号とに基づいて生成される第１異相ミキサ出力とを含む複数の第１ミキサ出力を生成するように構成された第１ミキサ回路部と、
前記第１異相ミキサ出力を変調して第１変調信号を生成するように構成されたＣＤＭエンコーダと、
前記第１同相ミキサ出力に基づいて前記センサアレイへの物体の近接検出を行い、前記第１変調信号に基づいてノイズ検出を行うように構成された演算装置と、
を備える
容量センシングシステム。
【請求項１４】
前記センサアレイが、表示パネルに集積化された
請求項１３に記載の容量センシングシステム。
【請求項１５】
駆動信号が供給される第１検出電極の静電容量に対応する第１検出信号の、前記駆動信号と同相の局所搬送波と前記同相の局所搬送波と異相の局所搬送波とに基づく直交分解によって、前記同相の局所搬送波と前記第１検出信号とに基づいて生成される第１同相ミキサ出力と前記異相の局所搬送波と前記第１検出信号とに基づいて生成される第１異相ミキサ出力とを含む複数の第１ミキサ出力を生成することと、
前記第１異相ミキサ出力を変調することによって前記第１異相ミキサ出力に対して符号分割多重化を行って第１変調信号を生成することと、
前記第１同相ミキサ出力に基づいて物体の近接検出を行うことと、
前記第１変調信号に基づいてノイズ検出を行うこと
とを含む
方法。
【請求項１６】
更に、
第２検出電極の静電容量に対応する第２検出信号の、前記同相の局所搬送波と前記異相の局所搬送波とに基づく直交分解によって複数の第２ミキサ出力を生成することを含み、
前記複数の第２ミキサ出力は、
前記同相の局所搬送波と前記第２検出信号とに基づいて生成される第２同相ミキサ出力と、
前記異相の局所搬送波と前記第２検出信号とに基づいて生成される第２異相ミキサ出力
とを備え、
前記近接検出を行うことは、前記第１同相ミキサ出力と前記第２同相ミキサ出力とに基づいて前記近接検出を行うことを含み、
前記ノイズ検出を行うことは、前記第１変調信号と前記第２異相ミキサ出力とに基づいて前記ノイズ検出を行うことを含む
請求項１５に記載の方法。
【請求項１７】
更に、前記複数の第１ミキサ出力及び前記複数の第２ミキサ出力に対して符号分割多重化を行ってＣＤＭ信号を生成することと、
前記ＣＤＭ信号に対してアナログ−デジタル変換を行ってデジタルデータストリームを生成することと、
前記デジタルデータストリームをデコードして複数のデジタル出力信号を生成すること
とを含む
請求項１６に記載の方法。
【請求項１８】
前記複数のデジタル出力信号は、
前記第１同相ミキサ出力に対応する第１デジタル出力信号と、
前記第２同相ミキサ出力に対応する第２デジタル出力信号と、
前記第１異相ミキサ出力に対応する第３デジタル出力信号と、
前記第２異相ミキサ出力に対応する第４デジタル出力信号
とを備え、
前記近接検出を行うことは、前記第１デジタル出力信号と前記第２デジタル出力信号とに基づいて前記近接検出を行うことを含み、
前記ノイズ検出を行うことは、前記第３デジタル出力信号と前記第４デジタル出力信号とに基づいて前記ノイズ検出を行うことを含む
請求項１７に記載の方法。
【請求項１９】
前記近接検出を行うことは、
前記第１同相ミキサ出力に対してアナログ−デジタル変換を行って第１デジタルデータストリームを生成することと、
前記第２同相ミキサ出力に対してアナログ−デジタル変換を行って第２デジタルデータストリームを生成することと、
前記第１デジタルデータストリームと前記第２デジタルデータストリームとに基づいて前記近接検出を行うこと
とを含み、
前記ノイズ検出を行うことは、
前記第２異相ミキサ出力に対して符号分割多重化を行って第２変調信号を生成し、前記第１変調信号と前記第２変調信号とからＣＤＭ信号を生成することと、
前記ＣＤＭ信号に対してアナログ−デジタル変換を行って第３デジタルデータストリームを生成することと、
前記第３デジタルデータストリームに基づいて前記ノイズ検出を行うこと
とを含む
請求項１６に記載の方法。
【請求項２０】
更に、
第１符号を用いて前記第１同相ミキサ出力を変調して第２変調信号を生成することと、
第２符号を用いて前記第１異相ミキサ出力を変調して前記第１変調信号を生成することと、
第３符号を用いて前記第２同相ミキサ出力を変調して第３変調信号を生成することと、
第４符号を用いて前記第２異相ミキサ出力を変調して第４変調信号を生成することと、
前記第１変調信号と前記第４変調信号との加算により得られる第１和信号に対してアナログ−デジタル変換を行うことと、
前記第２変調信号と前記第３変調信号との加算により得られる第２和信号に対してアナログ−デジタル変換を行うこと
とを含み、
前記第１符号と前記第４符号とが互いに直交し、
前記第２符号と前記第３符号とが互いに直交する
請求項１６に記載の方法。